【手続補正書】
【提出日】平成28年6月3日(2016.6.3)
【手続補正１】
【補正対象書類名】特許請求の範囲
【補正対象項目名】全文
【補正方法】変更
【補正の内容】
【特許請求の範囲】
【請求項１】
複数のクライアント装置の記憶装置の記憶内容を統一するための該クライアント装置の記憶装置にリストアされるアプリケーションプログラムを含むインストールイメージを作成するイメージ作成端末と通信可能に接続された情報処理装置であって、
前記イメージ作成端末で作成された前記インストールイメージのイメージ識別情報と、該インストールイメージに含まれるアプリケーションプログラムのアプリケーション識別情報とを含む第１管理情報を管理する第１管理手段と、
前記アプリケーションプログラムの更新を管理する管理装置へ問い合わせることにより、更新するアプリケーションプログラムのアプリケーション識別情報を取得する取得手段と、
前記取得手段にて取得したアプリケーション識別情報と前記第１管理情報とに従って、更新対象のインストールイメージを特定する第１特定手段と、
前記第１特定手段にて特定された更新対象のインストールイメージのイメージ識別情報と、更新するアプリケーションプログラムのアプリケーション識別情報とを含む作成指示情報を、前記イメージ作成端末に新たなインストールイメージを作成させるために送信する作成指示送信手段と、
を備えることを特徴とする情報処理装置。
【請求項２】
前記作成指示情報に従って前記イメージ作成端末の作成手段により新たなインストールイメージが作成された後に、該新たなインストールイメージのイメージ識別情報と、該新たなインストールイメージに含まれるアプリケーションプログラムのアプリケーション識別情報とを前記第１管理情報に追加する追加手段
を更に備えることを特徴とする請求項１に記載の情報処理装置。
【請求項３】
前記インストールイメージのイメージ識別情報と、前記インストールイメージが記憶装置にリストアされているクライアント装置のクライアント識別情報とを含む第２管理情報を管理する第２管理手段と、
前記第１特定手段にて特定された更新対象のインストールイメージのイメージ識別情報と前記第２管理情報とに従って、更新対象のクライアント装置を特定する第２特定手段と、
前記イメージ作成端末の作成手段にて作成された新たなインストールイメージのイメージ識別情報を含むリストア指示情報を、前記第２特定手段により特定された更新対象のクライアント装置に送信するリストア指示送信手段と、
を更に備えることを特徴とする請求項１または２に記載の情報処理装置。
【請求項４】
前記リストア指示情報に含まれるイメージ識別情報に従ってインストールイメージが前記クライアント装置によってリストアされた後に、前記第２管理情報に含まれる該クライアント装置に関連するインストールイメージのイメージ識別情報を、前記リストアされたインストールイメージのイメージ識別情報に変更する変更手段
を更に備えることを特徴とする請求項３に記載の情報処理装置。
【請求項５】
クライアント装置の指定を受け付ける第１指定手段と、
前記第１指定手段で指定されたクライアント装置によってインストールされるインストールイメージの指定を受け付ける第２指定手段と、
を更に備え、
前記リストア指示送信手段は、前記第１指定手段にて指定を受け付けたクライアント装置に、前記第２の指定手段にて指定を受け付けたインストールイメージのイメージ識別情報を含むリストア指示情報を送信すること
を特徴とする請求項３または４に記載の情報処理装置。
【請求項６】
複数のクライアント装置の記憶装置の記憶内容を統一するための該クライアント装置の記憶装置にリストアされるアプリケーションプログラムを含むインストールイメージを作成するイメージ作成端末と、管理サーバとを含む情報処理システムであって、
前記管理サーバは、
前記イメージ作成端末で作成された前記インストールイメージのイメージ識別情報と、該インストールイメージに含まれるアプリケーションプログラムのアプリケーション識別情報とを含む第１管理情報を管理する第１管理手段と、
前記アプリケーションプログラムの更新を管理する管理装置へ問い合わせることにより、更新するアプリケーションプログラムのアプリケーション識別情報を取得する取得手段と、
前記取得手段にて取得したアプリケーション識別情報と前記第１管理情報とに従って、更新対象のインストールイメージを特定する第１特定手段と、
前記第１特定手段にて特定された更新対象のインストールイメージのイメージ識別情報と、更新するアプリケーションプログラムのアプリケーション識別情報とを含む作成指示情報を送信する作成指示送信手段と、
を備え、
前記イメージ作成端末は、
前記作成指示情報を受信する作成指示受信手段と、
前記作成指示受信手段にて受信された作成指示情報に含まれるアプリケーション識別情報に従って、前記アプリケーションプログラムの更新を管理する管理装置から取得したアプリケーションプログラムのアップデートファイルを用いて、前記作成指示情報に含まれるイメージ識別情報に従ってインストールイメージがリストアされた記憶装置のアプリケーションプログラムを更新する更新手段と、
前記更新手段にて更新された前記記憶装置に基づいて新たなインストールイメージを作成する作成手段と、
を備えることを特徴とする情報処理システム。
【請求項７】
複数のクライアント装置の記憶装置の記憶内容を統一するための該クライアント装置の記憶装置にリストアされるアプリケーションプログラムを含むインストールイメージを作成するイメージ作成端末と通信可能に接続された情報処理装置によって行われる情報処理方法であって、
前記イメージ作成端末で作成された前記インストールイメージのイメージ識別情報と、該インストールイメージに含まれるアプリケーションプログラムのアプリケーション識別情報とを含む第１管理情報を管理する第１管理工程と、
前記アプリケーションプログラムの更新を管理する管理装置へ問い合わせることにより、更新するアプリケーションプログラムのアプリケーション識別情報を取得する取得工程と、
前記取得工程にて取得したアプリケーション識別情報と前記第１管理情報とに従って、更新対象のインストールイメージを特定する第１特定工程と、
前記第１特定工程にて特定された更新対象のインストールイメージのイメージ識別情報と、更新するアプリケーションプログラムのアプリケーション識別情報とを含む作成指示情報を、前記イメージ作成端末に新たなインストールイメージを作成させるために送信する作成指示送信工程と、
を備えることを特徴とする情報処理方法。
【請求項８】
複数のクライアント装置の記憶装置の記憶内容を統一するための該クライアント装置の記憶装置にリストアされるアプリケーションプログラムを含むインストールイメージを作成するイメージ作成端末と通信可能に接続された情報処理装置において実行可能なコンピュータプログラムであって、
前記情報処理装置を、
前記イメージ作成端末で作成された前記インストールイメージのイメージ識別情報と、該インストールイメージに含まれるアプリケーションプログラムのアプリケーション識別情報とを含む第１管理情報を管理する第１管理手段と、
前記アプリケーションプログラムの更新を管理する管理装置へ問い合わせることにより、更新するアプリケーションプログラムのアプリケーション識別情報を取得する取得手段と、
前記取得手段にて取得したアプリケーション識別情報と前記第１管理情報とに従って、更新対象のインストールイメージを特定する第１特定手段と、
前記第１特定手段にて特定された更新対象のインストールイメージのイメージ識別情報と、更新するアプリケーションプログラムのアプリケーション識別情報とを含む作成指示情報を、前記イメージ作成端末に新たなインストールイメージを作成させるために送信する作成指示送信手段
として機能させることを特徴とするコンピュータプログラム。
【手続補正２】
【補正対象書類名】明細書
【補正対象項目名】発明の名称
【補正方法】変更
【補正の内容】
【発明の名称】情報処理装置、情報処理システム、情報処理方法、及び、コンピュータプログラム
【手続補正３】
【補正対象書類名】明細書
【補正対象項目名】００１０
【補正方法】変更
【補正の内容】
【００１０】
上記した目的を達成するために、本発明の情報処理装置は、複数のクライアント装置の記憶装置の記憶内容を統一するための該クライアント装置の記憶装置にリストアされるアプリケーションプログラムを含むインストールイメージを作成するイメージ作成端末と通信可能に接続された情報処理装置であって、前記イメージ作成端末で作成された前記インストールイメージのイメージ識別情報と、該インストールイメージに含まれるアプリケーションプログラムのアプリケーション識別情報とを含む第１管理情報を管理する第１管理手段と、前記アプリケーションプログラムの更新を管理する管理装置へ問い合わせることにより、更新するアプリケーションプログラムのアプリケーション識別情報を取得する取得手段と、前記取得手段にて取得したアプリケーション識別情報と前記第１管理情報とに従って、更新対象のインストールイメージを特定する第１特定手段と、前記第１特定手段にて特定された更新対象のインストールイメージのイメージ識別情報と、更新するアプリケーションプログラムのアプリケーション識別情報とを含む作成指示情報を、前記イメージ作成端末に新たなインストールイメージを作成させるために送信する作成指示送信手段と、を備えることを特徴とする。
【手続補正４】
【補正対象書類名】明細書
【補正対象項目名】００１１
【補正方法】変更
【補正の内容】
【００１１】
上記した目的を達成するために、本発明の情報処理方法は、複数のクライアント装置の記憶装置の記憶内容を統一するための該クライアント装置の記憶装置にリストアされるアプリケーションプログラムを含むインストールイメージを作成するイメージ作成端末と通信可能に接続された情報処理装置によって行われる情報処理方法であって、前記イメージ作成端末で作成された前記インストールイメージのイメージ識別情報と、該インストールイメージに含まれるアプリケーションプログラムのアプリケーション識別情報とを含む第１管理情報を管理する第１管理工程と、前記アプリケーションプログラムの更新を管理する管理装置へ問い合わせることにより、更新するアプリケーションプログラムのアプリケーション識別情報を取得する取得工程と、前記取得工程にて取得したアプリケーション識別情報と前記第１管理情報とに従って、更新対象のインストールイメージを特定する第１特定工程と、前記第１特定工程にて特定された更新対象のインストールイメージのイメージ識別情報と、更新するアプリケーションプログラムのアプリケーション識別情報とを含む作成指示情報を、前記イメージ作成端末に新たなインストールイメージを作成させるために送信する作成指示送信工程と、を備えることを特徴とする。
【手続補正５】
【補正対象書類名】明細書
【補正対象項目名】００１２
【補正方法】変更
【補正の内容】
【００１２】
上記した目的を達成するために、本発明のコンピュータプログラムは、複数のクライアント装置の記憶装置の記憶内容を統一するための該クライアント装置の記憶装置にリストアされるアプリケーションプログラムを含むインストールイメージを作成するイメージ作成端末と通信可能に接続された情報処理装置において実行可能なコンピュータプログラムであって、前記情報処理装置を、前記イメージ作成端末で作成された前記インストールイメージのイメージ識別情報と、該インストールイメージに含まれるアプリケーションプログラムのアプリケーション識別情報とを含む第１管理情報を管理する第１管理手段と、前記アプリケーションプログラムの更新を管理する管理装置へ問い合わせることにより、更新するアプリケーションプログラムのアプリケーション識別情報を取得する取得手段と、前記取得手段にて取得したアプリケーション識別情報と前記第１管理情報とに従って、更新対象のインストールイメージを特定する第１特定手段と、前記第１特定手段にて特定された更新対象のインストールイメージのイメージ識別情報と、更新するアプリケーションプログラムのアプリケーション識別情報とを含む作成指示情報を、前記イメージ作成端末に新たなインストールイメージを作成させるために送信する作成指示送信手段として機能させることを特徴とする。